【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
媒体中に懸濁されたククルビットウリル粒子を含む安定な懸濁組成物。
【請求項２】
媒体が、液体媒体、エマルション、ワックス、軟膏、ゲル、ペースト、フォームまたは液化ガスであり、
好ましくは液体媒体が、極性または非極性であり、
好ましくは、液体媒体が極性である場合、液体媒体が、水性または含水アルコール性であり、
好ましくは、液体媒体が非極性である場合、液体媒体が、オイル、パラフィン、長鎖アルコールまたは脂肪である、
請求項１に記載の組成物。
【請求項３】
液体媒体が、水、エタノール、ｎ−プロパノール；ｔｅｒｔ−ブタノール；２−メトキシエタノール；２−エトキシエタノール；３−メトキシ−３−メチル−１−ブタノール；イソプロパノール；イソブタノール（ｉｓｂｕｔａｎｏｌ）；１，２−プロパンジオール；１，３−プロパンジオール；１，２−ブタンジオール；１，２−ペンタンジオール；１，２−ヘキサンジオール；１，２−ヘプタンジオール；１，３−ブタンジオール；１，４，−ブタンジオール；３−メチル−１，３−ブタンジオール；１，４−ブチレングリコール；２，３−ブチレングリコール；トリメチレングリコール；トリプロピレングリコール；プロピレングリコール；ジプロピレングリコール；エチレングリコール；ジエチレングリコール；ヘキシレングリコール（２−メチル−２，４−ペンタンジオール）；モノおよびポリアルキレングリコールならびにこれらのエーテルおよびエステル、例えばプロピレングリコールメチルエーテル、ジプロピレングリコールメチルエーテル、トリプロピレングリコールメチルエーテル（ｔｒｉｐｏｐｙｌｅｎｅ  ｇｌｙｃｏｌ  ｍｅｔｈｙｌ  ｅｔｈｅｒ）、プロピレングリコールメチルエーテルアセテート、ジプロピレングリコールメチルエーテルアセテート、プロピレングリコールｎ−プロピルエーテル、ジプロピレングリコールｎ−プロピルエーテル、プロピレングリコールｎ−ブチルエーテル、ジプロピレングリコールｎ−ブチルエーテル、トリプロピレングリコールｎ−ブチルエーテル、プロピレングリコールフェニルエーテル、プロピレングリコールジアセテート、ジプロピレングリコールジメチルエーテル、ジエチレングリコールエチルエーテル、ジエチレングリコールメチルエーテル、ジエチレングリコールｎ−ブチルエーテル、ジエチレングリコールヘキシルエーテル、ジエチレングリコールｎ−ブチルエーテルアセテート、エチレングリコールプロピルエーテル、エチレングリコールｎ−ブチルエーテル、エチレングリコールヘキシルエーテル、エチレングリコールｎ−ブチルエーテルアセテート、トリエチレングリコールメチルエーテル、トリエチレングリコールエチルエーテル、トリエチレングリコールｎ−ブチルエーテル、エチレングリコールフェニルエーテル、エチレングリコールｎ−ブチルエーテル；イソソルビドモノ−およびジエーテルおよびエステル、例えば、ジメチルイソソルビド；グリセリン；グリセリンカルボネート；２，３−オルトイソプロピリデングリセリン；（２，２−ジメチル−１，３−ジオキソラン−４−イル）メタノール；アルキルラクテート；アルキルラクタミド；アルキルカルボネート（ａｌｋｙｌ  ｃａｂｏｎａｔｅ）、ＰＥＧ−４（ＰＥＧ−４は、ＰＥＧ−２００としても公知である）；ＰＥＧ−８（ＰＥＧ−８は、ＰＥＧ−４００としても公知である）；ＰＰＧ−１４ブチルエーテル；鉱油；パラフィン、イソパラフィン、アルキルトリグリセリド等のグリセリドエステル（例えば、ココナッツ油およびヒマワリ油等）；ジメチコンまたはこれらの混合物からなる群より選択される、請求項２に記載の懸濁組成物。
【請求項４】
懸濁化剤をさらに含む、請求項１から３のいずれかに記載の組成物であって、好ましくは懸濁化剤が、天然のまたは部分的に中和されたアクリル酸クロスポリマー、メタクリル酸クロスポリマー、アクリル酸−ｃｏ−メタクリル酸コポリマー、アクリル酸（ａｃｒｙｌｉｃ  ａｃｉｃ）−ｃｏ−メタクリル酸クロスコポリマー、アクリル酸および／またはメタクリル酸とアルキル（メタ）アクリレートとの架橋ポリマー、スチレン（メタ）アクリレートコポリマー、ポリビニルピロリドンジメチルアミノエチル（メタ）アクリレートコポリマーおよびメタクリロイルベタインアクリレートコポリマー、ビニルエーテル無水マレイン酸コポリマー；ポリビニルアルコール、ポリビニルピロリドン、ポリスチレンスルホン酸ナトリウム；疎水性ブロックおよび親水性ブロックを有するブロックおよびグラフトコポリマー；疎水性エトキシ化ポリウレタン；アラビアゴム；トラガカントゴム；アカシアゴム；キサンタンガム；ローカストビーンガム；ゲランガム；アルギネート；カラギーナン；寒天；変性セルロース、例えば、メチルセルロース、カルボキシメチルセルロース、ナトリウムカルボキシメチルセルロース、ヒドロキシエチルセルロース、ヒドロキシプロピルセルロース、ヒドロキシプロピルメチルセルロース；微結晶セルロース；デンプンアルケニルスクシネート；デンプン；植物性繊維；ペクチン；ゼラチン；クレイ、例えば、ベントナイトおよびモンモリロナイト；ならびにこれらの混合物からなる群より選択される、組成物。
【請求項５】
液体媒体は、ククルビットウリル粒子が少なくとも約０．２５μｍまたは少なくとも約０．５μｍの粒径を有する場合に懸濁化剤を含む、請求項２から４のいずれか一項に記載の組成物。
【請求項６】
組成物の総重量を基準にして約０．０１〜約２５重量％、特に約０．５〜約１０重量％、より特定すると約０．１〜約５％、より特定すると約０．１〜１重量％の懸濁化剤を含む、請求項４または５に記載の組成物。
【請求項７】
ｐＨが、約２．０〜約１２．０、例えば約４．０〜約９．０、任意選択により約５．０〜約７．５である、請求項１から６のいずれかに記載の組成物。
【請求項８】
ククルビットウリルが、ＣＢ［５］、ＣＢ［６］、ＣＢ［７］、ＣＢ［８］またはこれらの混合物から選択される、請求項１から７のいずれかに記載の組成物。
【請求項９】
ククルビットウリル粒子が、約０．０１０μｍ〜約５０μｍ、約０．１μｍ〜約４０μｍ、約１μｍ〜約２０μｍ、約２μｍ〜約１０μｍ、特に約３μｍ〜約５μｍの平均直径を有する、請求項１から８のいずれかに記載の組成物。
【請求項１０】
組成物の総重量を基準にして０．１〜６０重量％、例えば０．１〜５０重量％、例えば０．１〜２０重量％、例えば０．１〜１０重量％、例えば０．１〜５重量％、例えば０．２〜３重量％、例えば０．５〜１．５重量％のククルビットウリルを含む、請求項１から９のいずれかに記載の組成物。
【請求項１１】
組成物中のククルビットウリルの総重量を基準にして少なくとも７５重量％の錯化されていないククルビットウリルを含む、請求項１から１０のいずれかに記載の組成物。
【請求項１２】
ａ）  約２ｓ-1のせん断速度で２０℃の温度において約４００〜約１５００ｍＰａｓの間、例えば約８００〜約１０００ｍＰａｓの間の粘度；および
ｂ）  約３０ｓ-1〜約１００ｓ-1の間のせん断速度で２０℃の温度において約１０〜約５００ｍＰａｓの間、例えば約５０〜約３００ｍＰａｓの間の粘度；および
ｃ）  １０００ｓ-1より高いせん断速度で２０℃の温度において約０．５〜約５ｍＰａｓの間、例えば約０．８〜約２ｍＰａｓの間の粘度
を有する、請求項１から１１のいずれかに記載の懸濁組成物。
【請求項１３】
懸濁液が、界面活性剤、殺生物剤、増粘剤、抗酸化剤、キレート化剤、湿潤剤、堆積剤、抑泡剤、フレグランス、溶媒、染料、顔料、制汗剤およびコンディショニング剤からなる群より選択される１種または複数の添加剤をさらに含む、請求項１から１２のいずれかに記載の組成物。
【請求項１４】
懸濁液が、４℃〜５０℃の温度で貯蔵されたときに、少なくとも３か月にわたって安定である、請求項１から１３のいずれかに記載の組成物。
【請求項１５】
ａ）  液体状態の媒体にククルビットウリル粒子を加えるステップ；
ｂ）  高せん断条件下において、媒体中にククルビットウリル粒子を懸濁させるステップ
を含み、
好ましくは、ステップａ）が、媒体への懸濁化剤の添加をさらに含み、任意選択により懸濁化剤が、請求項４から６のいずれか一項に記載のとおりである、
請求項１から１４のいずれか一項に記載の懸濁組成物の調製のための方法。
【請求項１６】
悪臭を打ち消しするための請求項１から１４のいずれか一項に記載の懸濁組成物であって、該組成物が悪臭の発生源に施用され、
好ましくは該組成物が、無生物表面に施用され、好ましくは無生物表面が、顆粒またはビーズであり、
好ましくは該組成物が、スプレーによって施用され、
好ましくは悪臭の発生源が、人間もしくは動物の汗、便もしくは尿；濡れたペット；カビ；食品またはこれらの組合せから選択され、
好ましくは該組成物が、消費者製品中に含有され、好ましくは消費者製品が、スプレー装置（例えば、フィンガースプレー）または（例えば、ベンチュリノズルまたは圧電式ノズルを使用する）噴霧器から選択される装置である、
懸濁組成物。
【請求項１７】
悪臭を打ち消しするための、請求項１から１４のいずれか一項に記載の懸濁組成物。
【請求項１８】
悪臭が、窒素含有分子、硫黄含有分子または酸素含有分子である、請求項１６または１７に記載の懸濁組成物。
【請求項１９】
懸濁組成物が、消費者製品中に含有され、好ましくは消費者製品が、スプレー装置（例えば、フィンガースプレー）または（例えば、ベンチュリノズルまたは圧電式ノズルを使用する）噴霧器から選択される装置である、請求項１７または１８に記載の懸濁組成物。
【請求項２０】
媒体中にククルビットウリル粒子を含む組成物をかき混ぜて、請求項１から１４のいずれか一項に記載の懸濁組成物を得るステップを含む、組成物を再懸濁させる方法であって、これにより、あらゆる粒子沈降物をかき混ぜによって再懸濁させ、好ましくはかき混ぜが、機械による撹拌、手動の撹拌、機械による振とう、手動の振とうまたは加熱によるものである、方法。
【請求項２１】
好ましくは、ペットケア用製品、トイレクリーナー、織物ケア用製品、洗剤、クレンジング用組成物、シャンプー、柔軟剤、柔軟剤シート、コンディショナー、リフレッシャー、エアフレッシュナー、脱臭用組成物、個人用脱臭剤、制汗剤、化粧品、ファインフレグランス、ボディミスト、キャンドル、ハードサーフェスクリーナー、クレンジングワイプまたはモップ、石けん、スタイリング用ゲル、吸湿剤、空気清浄化装置、仕上げ加工用製品、おむつまたはサニタリー製品、例えば、尿漏れ防止パッド、女性用生理用品、生理用ナプキン、靴底、義歯洗浄容器および創傷用被覆材、ならびにペットリターおよびケミカルトイレから選択される、請求項１から１４のいずれか一項に記載の懸濁組成物を含む消費者製品。
【請求項２２】
請求項１から１４のいずれか一項に記載の組成物でコーティングされた顆粒またはビーズ。
【請求項２３】
コーティングされていない顆粒またはビーズが、０．１ｍｍと１０ｍｍとの間、好ましくは、０．５ｍｍと５ｍｍとの間の平均粒子径を有する、請求項２２に記載の顆粒またはビーズ。